(57)【要約】【課題】撮影された画像データを補正するための設定値を迅速、容易かつ確実に決定できるデジタルカメラの構成および方法を提供する。【解決手段】設定値を含む表示画面を生成する設定値表示画面生成部３６と、設定値を補正後の画像に表示させるスーパーインポーズ処理部３７とを備え、補正後の画像データを補正後データ記憶部２９およびモニタ表示部２に出力するデジタル信号処理部２５と、補正前の画像データを格納する補正前データ記憶部２６と、補正用設定値を格納する設定値データ記憶部２７と、補正項目の設定値の表示画面を格納する表示画面データ記憶部２８と、補正後の画像データを格納する補正後データ記憶部２９と、通常モードから画質変更モードへの切り替え、補正前の画像データに設定値で補正を実施、現状の設定値の変更の各指示を入力する操作部３とを備える。【選択図】        図２
2004328098.tif 000002
【特許請求の範囲】
【請求項１】
画像データを画像として表示するモニタ表示部と、
所定の補正項目について補正された画像データを格納する補正後データ記憶部と、
撮影された画像データを前記補正項目について補正し、補正された画像データを補正後データ記憶部およびモニタ表示部に出力するデジタル信号処理部と、
補正前の画像データを格納する補正前データ記憶部と、
前記補正項目の補正に用いる設定値を格納する設定値データ記憶部と、
前記補正項目の設定値を変更するためにモニタ表示部に表示させる表示画面の内容を格納する表示画面データ記憶部と、
表示画面データ記憶部に格納された前記表示画面および設定値データ記憶部に格納された設定値を用いて、前記補正項目についての現状の設定値を含む表示画面を生成する設定値表示画面生成部と、
設定値表示画面生成部で生成された表示画面を、補正後データ記憶部に格納された補正後の画像データにスーパーインポーズしてモニタ表示部に出力するスーパーインポーズ処理部と、
被写体を撮影した画像データを設定値により補正する通常モードから、前記補正項目の設定値を変更できる画質変更モードに切り替えるモード変更指示入力部と、
補正前データ記憶部に格納された補正前の画像データを読み出し、設定値データ記憶部に格納された設定値により前記補正項目について補正を実施する補正実施指示部と、
モニタ表示部に表示された現状の設定値を変更する変更指示入力部と
を備えることを特徴とするデジタルカメラ。
【請求項２】
補正後データ記憶部に格納された画像データにおける表示画面の少なくとも一部を色分解し、各原色毎の画像データに変換する画像信号色分解部と、
画像信号色分解部で得られた各原色毎の画像データの平均値を演算して数値化する色信号数値化部と
を備え、
前記設定値表示画面生成部は、前記表示画面に前記数値化された各原色毎の画像データの平均値を含ませて表示画面を生成する
ことを特徴とする請求項１に記載のデジタルカメラ。
【請求項３】
前記設定値表示画面生成部は、前記画像信号色分解部で各原色毎に変換される画像データが表示画面の一部である場合には、表示画面上における前記一部の画面の位置および範囲を示すデータを含ませて表示画面を生成する
ことを特徴とする請求項２に記載のデジタルカメラ。
【請求項４】
表示画面データ記憶部は、前記モード変更指示入力部で指示されることにより表示される複数の補正項目を含むメニュー画面を格納し、
前記スーパーインポーズ処理部は、前記メニュー画面を補正後の画像データにスーパーインポーズしてモニタ表示部に出力し、
前記変更指示入力部は、前記メニュー画面の複数の補正項目から１種類の補正項目を選択するために用いられる
ことを特徴とする請求項１〜３の何れかに記載のデジタルカメラ。
【請求項５】
前記所定の補正項目は、ホワイトバランス調整、色信号調整、輪郭補正、ガンマ補正のうちの少なくとも１種類である
ことを特徴とする請求項１〜４の何れかに記載のデジタルカメラ。
【請求項６】
前記設定値表示画面生成部、前記スーパーインポーズ処理部、前記画像信号色分解部、および、前記色信号数値化部のうちの少なくとも１つの回路部は、前記デジタル信号処理部に内蔵されて構成される
ことを特徴とする請求項２〜５の何れかに記載のデジタルカメラ。
【請求項７】
前記補正後データ記憶部は、前記補正前データ記憶部、前記設定値データ記憶部、および、前記表示画面データ記憶部のうちの少なくとも１つの記憶部を含んで構成される
ことを特徴とする請求項１〜６の何れかに記載のデジタルカメラ。
【請求項８】
画像データを表示するモニタ表示部と、画像データおよび設定値を格納する記憶部と、画像データに対する補正を含む画像データ処理および演算処理を実施するデジタル信号処理部と、設定値を補正するための指示を入力する指示入力部を備えるデジタルカメラにおいて、ホワイトバランス調整、色信号調整、輪郭補正、ガンマ補正のうちの少なくとも１種類の補正を実施する場合に、
補正指示入力の有無を判断するステップと、
補正のために撮影された画像データを、補正前に格納するステップと、
補正前の画像データを補正のための初期設定値により補正した補正後画像データを格納するステップと、
前記初期設定値とそれにより補正された後の画像データをモニタ表示部に表示させるステップと、
モニタ表示部の表示内容により補正のための設定値が適切か否かを判断するステップと、
補正の設定値が適切でない場合に、補正のための設定値を調整するステップと、
調整された設定値により補正前の画像データを補正した補正後画像データを格納するステップと、
前記調整された設定値とそれにより補正された後の画像データをモニタ表示部に表示させ、再び設定値が適切か否かを判断するステップと
を有することを特徴とするデジタルカメラの画像補正方法。
【請求項９】
前記初期設定値とそれによる補正後の画像データを表示させるステップでは、
補正後の画像データを色分解した各原色信号成分の画面平均値を演算して表示させ、
前記表示内容により補正のための設定値を判断するステップでは、
前記各原色信号成分の画面平均値により判断する
ことを特徴とする請求項８に記載のデジタルカメラの画像補正方法。
【請求項１０】
前記補正指示入力の有無を判断するステップで、ホワイトバランス調整が入力された場合、
前記表示内容により補正のための設定値を判断するステップでは、
前記各原色信号成分の画面平均値が全て等しい場合に設定値が適正と判断する
ことを特徴とする請求項９に記載のデジタルカメラの画像補正方法。
【請求項１１】
前記補正指示入力の有無を判断するステップで、色信号調整が入力された場合、
前記表示内容により補正のための設定値を判断するステップでは、
前記各原色信号成分の画面平均値が各原色毎に予め設定される所定値である場合に設定値が適正と判断する
ことを特徴とする請求項９に記載のデジタルカメラの画像補正方法。
【請求項１２】
前記表示内容により補正のための設定値を判断するステップでは、
設定値を判断する前に、判定に用いるために全画面中から少なくとも一部分の画面を指定し、該指定画面内の前記各原色信号成分の平均値により設定値を判断する
ことを特徴とする請求項１１に記載のデジタルカメラの画像補正方法。
【請求項１３】
前記補正指示入力の有無を判断するステップで、輪郭補正が入力された場合、
前記表示内容により補正のための設定値を判断するステップでは、
モニタ表示部の表示内容により輪郭補正のための設定値が適切か否かを判断する
ことを特徴とする請求項８に記載のデジタルカメラの画像補正方法。
【請求項１４】
前記補正指示入力の有無を判断するステップで、ガンマ補正が入力された場合、
前記表示内容により補正のための設定値を判断するステップでは、
モニタ表示部の表示内容によりガンマ補正のための設定値が適切か否かを判断する
ことを特徴とする請求項８に記載のデジタルカメラの画像補正方法。
【発明の詳細な説明】
【０００１】
【発明の属する技術分野】
本発明は、撮影した画像データを補正して出力するデジタルカメラに関し、特に、撮影された画像データを補正するための設定値を決定する方法に関する。
【０００２】
【従来の技術】
従来のデジタルカメラでは、撮影された画像データが補正されて格納されるまでが一連の処理になっているため、画像データを補正するための設定値を変更する場合、予めその設定値を変更してから撮影し、補正された画像データをモニタで設定値を変更する度に確認していた。つまり、モニタに表示された画像の確認結果により、画像データを補正するための設定値を変更し、被写体を撮影して、再度、モニタに表示された画像を確認するという作業を繰り返すことにより、画像データを補正するための設定値を決定していた。なお、画像データの補正とは、例えば、ホワイトバランス調整、色信号調整、輪郭補正、ガンマ補正である。（例えば、特許文献１参照）。
【０００３】
【特許文献１】
特開２００２−２１８４９４号公報（第４〜６頁、第３図）
【０００４】
【発明が解決しようとする課題】
しかしながら、従来のデジタルカメラでは、上記したように被写体の撮影から補正された画像データが格納されるまでが一連の処理になっているため、画像データを補正するための設定値を変更する度に、撮影からの一連の処理を繰り返して確認する必要があった。従って、従来のデジタルカメラの使用者が、任意の照明環境において、画像データを補正するための最適の設定値を得ようとする場合、その設定値を決定するためには、上記したように設定値を変更して撮影した後の一連の処理を繰り返して設定値を決定しなければならず、作業が煩雑になるという問題点があった。
【０００５】
また、従来のデジタルカメラでは、例えば、ホワイトバランス調整および色信号調整において、画像データを補正するための設定値が適切であるか否かの判断は、補正された画像をモニター画面で確認するという官能評価により実施されており、数値等で客観的な判断ができないため、設定値が適切であるか否かの判断があいまいであるという問題があった。
【０００６】
本発明は、上述のような課題を解消するためになされたものであって、撮影された画像データを補正するための設定値を迅速、容易かつ確実に決定できるデジタルカメラの構成および方法を提供すること目的とする。
【０００７】
【課題を解決するための手段】
上記した目的を達成するため、本発明に係るデジタルカメラは、画像データを画像として表示するモニタ表示部と、
所定の補正項目について補正された画像データを格納する補正後データ記憶部と、
撮影された画像データを前記補正項目について補正し、補正された画像データを補正後データ記憶部およびモニタ表示部に出力するデジタル信号処理部と、
補正前の画像データを格納する補正前データ記憶部と、
補正項目の補正に用いる設定値を格納する設定値データ記憶部と、
補正項目の設定値を変更するためにモニタ表示部に表示させる表示画面の内容を格納する表示画面データ記憶部と、
表示画面データ記憶部に格納された表示画面および設定値データ記憶部に格納された設定値を用いて、補正項目についての現状の設定値を含む表示画面を生成する設定値表示画面生成部と、
設定値表示画面生成部で生成された表示画面を、補正後データ記憶部に格納された補正後の画像データにスーパーインポーズしてモニタ表示部に出力するスーパーインポーズ処理部と
被写体を撮影した画像データを設定値により補正する通常モードから、補正項目の設定値を変更できる画質変更モードに切り替えるモード変更指示入力部と、
補正前データ記憶部に格納された補正前の画像データを読み出し、設定値データ記憶部に格納された設定値により補正項目について補正を実施する補正実施指示部と、
モニタ表示部に表示された現状の設定値を変更する変更指示入力部とを備えるものである。
【０００８】
また、本発明に係るデジタルカメラの画像補正方法では、画像データを表示するモニタ表示部と、画像データおよび設定値を格納する記憶部と、画像データに対する補正を含む画像データ処理および演算処理を実施するデジタル信号処理部と、設定値を補正するための指示を入力する指示入力部を備えるデジタルカメラにおいて、ホワイトバランス調整、色信号調整、輪郭補正、ガンマ補正のうちの少なくとも１種類の補正を実施する場合に、
補正指示入力の有無を判断するステップと、
補正のために撮影された画像データを、補正前に格納するステップと、
補正前の画像データを補正のための初期設定値により補正した補正後画像データを格納するステップと、
初期設定値とそれにより補正された後の画像データをモニタ表示部に表示させるステップと、
モニタ表示部の表示内容により補正のための設定値が適切か否かを判断するステップと、
補正の設定値が適切でない場合に、補正のための設定値を調整するステップと、
調整された設定値により補正前の画像データを補正した補正後画像データを格納するステップと、
調整された設定値とそれにより補正された後の画像データをモニタ表示部に表示させ、再び設定値が適切か否かを判断するステップとを有するものである。
【０００９】
【発明の実施の形態】
以下、本発明をその実施の形態を示す図面に基づいて具体的に説明する。
【００１０】
実施の形態１．
図１は、本発明に係るデジタルカメラのモニタ画面および操作部の一例を示す図である。
図１のデジタルカメラ１は、被写体を撮影する光学レンズ部を有する面に対する背面側にモニタ画面２を有し、そのモニタ画面と同じ背面側および上面側に操作部３を有している。モニタ画面２は、液晶表示パネル等から構成され、被写体を撮影して得られた画像データに基づいて動画像あるいは静止画像を表示するだけでなく、デジタルカメラの有する各種画像補正（ホワイトバランス調整、色信号調整、輪郭補正、ガンマ補正のうちの少なくとも１種類）の名称や設定状態、画像データの構成成分の数値も画像に重ねて表示することができる。
【００１１】
操作部３の中のシャッター１６は、例えば、モニタ画面２に撮影された動画像が表示されている状態で押されることにより、その時点の静止画像の画像データに対して補正を含む各種信号処理が行われ、その処理された静止画像の画像データがメモリ素子や画像記録媒体へ記録される。また、その場合には、モニタ画面２には各種信号処理された静止画像が表示される。
【００１２】
操作部３の中のメニューボタン１１は、デジタルカメラの有する各種画像補正処理の設定を変更する場合や設定を確認する場合に、被写体を撮影した画像データを設定値により補正する通常モードから、前記補正項目の設定値を変更できる画質変更モードに切り替えるモード変更指示入力部としての機能を有し、さらに、各種の設定変更メニューあるいは設定確認のメニューを撮影された画像にスーパーインポーズ（オーバーレイ）して表示させる操作手段である。
【００１３】
また、アップボタン１２、ダウンボタン１３は、スーパーインポーズ表示されるメニュー画面の複数の補正項目から実施を希望する１種類の処理（補正項目）を選択する場合の変更指示入力部としての機能や、モニタ表示部に表示された現状の設定値を変更する場合の変更指示入力部としての機能を有する操作手段である。
【００１４】
また、セットボタン１４は、スーパーインポーズ表示されるメニューから実施を希望する処理が選択されてその処理名がハイライト表示あるいは反転表示された状態か、希望する設定値が表示された状態で押されることにより、その時のメニューの処理あるいは設定値を決定項目としてデジタルカメラに入力させる機能を有する操作手段である。
【００１５】
また、プロセスボタン１５は、メニューの処理および設定値が決定した後に押されることにより、例えば、補正前の画像データを読み出し、変更された設定値により選択された補正項目について、補正前の画像データに対して補正を実施し、補正後の画像データに基づく画像をモニタ画面２に表示させることで表示画像を更新する補正実施指示部としての機能を有する操作手段である。
【００１６】
図２は、図１のデジタルカメラ１の内部構成を示すブロック図である。
被写体の画像（光）は、レンズ駆動部３０からの駆動信号ＤＳ１で駆動される光学レンズ部２１により焦点が合わされて固体撮像素子（ＣＣＤ）部２２に結像する。固体撮像素子（ＣＣＤ）部２２では、ＣＣＤ駆動／タイミング信号発生（ＴＧ）部３１からの駆動信号ＤＳ２およびタイミング信号ＴＳ１により、入射する画像の光量に対応して変換された電気信号（電荷）の画像データ（ＲＧＢ）が順次出力される。なお、画像データにおける各画素信号の種類は、固体撮像素子（ＣＣＤ）部２２内に組み込まれているカラーフィルタに依存し、ここでは３原色のＲＧＢ（赤、緑、青）フィルターが組み込まれていることを想定して、生成される画像データの種類は３原色のＲＧＢ信号とする。
【００１７】
固体撮像素子（ＣＣＤ）２から出力されたＲＧＢ信号は、相関二重サンプリング回路（ＣＤＳ）部２３に入力され、各画素の信号部分がＣＣＤ駆動／タイミング信号発生（ＴＧ）部３１からのタイミング信号ＴＳ２によりサンプリングされてＡ／Ｄ（アナログ／デジタル）変換部２４に出力される。Ａ／Ｄ変換部２４では、ＣＣＤ駆動／タイミング信号発生（ＴＧ）部３１からのタイミング信号ＴＳ３によりデジタル信号に変換されたＲＧＢ信号をデジタル信号処理部２５に出力する。
【００１８】
デジタル信号処理部２５は、後述する設定値表示画面生成部３６、スーパーインポーズ処理部３７、画像信号色分解部３８、および、色信号数値化部３９の各回路部を内蔵し、ＣＣＤ駆動／タイミング信号発生（ＴＧ）部３１からのタイミング信号ＴＳ４および後述する制御部３４からの制御信号ＣＳ３により、ＲＧＢ信号の同時化、ホワイトバランスの調整、ガンマ補正、輪郭補正、色調補正、画像表示信号への文字のスーパーインポーズ等の信号処理を実施することができる。デジタル信号処理部２５では、まず、入力されたＲＧＢ信号をそのまま補正前データ記憶部２６に記録し、さらに、撮影された画像データを上記各補正処理から選択された所定の補正項目について補正し、補正された画像データを補正後データ記憶部２９およびモニタ画面２に出力する。また、デジタル信号処理部２５は、ホワイトバランスの調整、ガンマ補正、輪郭補正、色調補正の各信号処理を実施する際には、ＲＧＢ信号の画像データを各種画像補正済みのＹＣデータの画像データに変換して補正後データ記憶部２９に格納し、その記録された画像データを基に周辺回路へデータ出力する。
【００１９】
また、デジタル信号処理部２５は、タイミング信号ＴＳ４および制御信号ＣＳ３により、Ａ／Ｄ変換部２４から入力されるＲＧＢ信号の画像データばかりでなく、補正前データ記憶部２６から読み出されたＲＧＢ信号の画像データについても、ＲＧＢ信号の同時化、ホワイトバランスの調整、ガンマ補正、輪郭補正、色調補正、画像表示信号への文字のスーパーインポーズ等の信号処理を実施し、補正された画像データについては補正後データ記憶部２９およびモニタ画面２に出力することができる。
【００２０】
補正前データ記憶部２６は、動画を記録する領域と撮影画（静止画）を記録する領域を備えており補正前の画像データを格納する。ここで、補正前データ記憶部２６の格納内容について説明する。
【００２１】
図３は、補正前データ記憶部２６の内部の画像データ記憶領域の配置の一例を示す図である。
図３（ａ）は、動画用のＲＧＢ信号の記録領域４１を１画面分と、静止画用のＲＧＢ信号の記録領域４２を１画面分持っている。図３（ｂ）は、補正前データ記憶部２６に補正後データ記憶部２９の格納内容も記憶させる場合であり、図３（ａ）の構成に加えて静止画用の補正済みＹＣデータの記録領域４３を有している。また、記録領域４１と記録領域４２では、新しいＲＧＢ信号が入力される度に格納された内容に上書きされることで更新される。
【００２２】
また、補正前データ記憶部２６は、記録容量の大きなメモリ素子が使用された場合には、複数画面分の画像データを記録できるようになる。従って、その場合には、大容量のメモリ素子内に動画用ＲＧＢ信号記録領域４１の記録面数を複数持たせることで、毎回上書き更新する必要はなくすことができる。また、大容量のメモリ素子を使用する場合には、静止画用ＲＧＢ信号記録領域４２の記録画面数を増やすようにしても良く、あるいは、図３（ｂ）に示したように、補正後データ記憶部２９の格納内容を共に格納するようにしても良い。
【００２３】
図２の設定値データ記憶部２７は、補正項目の補正に用いる設定値を格納する。
表示画面データ記憶部２８は、補正項目の設定値を変更するためにモニタ画面２に表示させる表示画面の内容を格納する。また、表示画面データ記憶部２８は、メニューボタン（モード変更指示入力部）１１で指示されることにより表示される複数の補正項目を含むメニュー画面を格納する。なお、本実施の形態のデジタルカメラの場合には、補正後の画像データを確認するためにモニタ画面２に表示させているが、例えば、デジタル信号処理部２５内でコンポジットビデオ信号を生成して外部ビデオモニタ（図示せず）に画像確認用に出力するようにしても良い。
【００２４】
補正後データ記憶部２９は、ホワイトバランス調整、色信号調整、輪郭補正、ガンマ補正のうちの少なくとも１種類である所定の補正項目について補正された画像データを格納する。なお、補正後データ記憶部２９は、補正前データ記憶部２６、設定値データ記憶部２７、および、表示画面データ記憶部２８のうちの少なくとも１つの記憶部を含むようにしても良い。
【００２５】
記録媒体Ｉ／Ｆ（インターフェース）部３２は、デジタル信号処理部２５に実施させる画像圧縮に関する制御信号ＣＳ４、および、制御部３４からの画像記録媒体部３３との間の画像データの書き込み／読み出しに関する制御信号ＣＳ５が制御部３４との間で入出力されると共に、画像圧縮および画像データの書き込み／読み出しに関する制御信号ＣＳ６がデジタル信号処理部２５との間で入出力されることにより、デジタル信号処理部２５と画像記録媒体部３３との間の圧縮されたＹＣ信号の画像データの授受を制御する。なお、本実施の形態では、撮影した画像データを記録媒体部３３に格納する場合に、デジタル信号処理部２５内で画像圧縮を施した後に、画像記録媒体インターフェース回路１４へ圧縮された画像データを出力するようにしているが、圧縮しないＹＣ信号の画像データを出力するようにしても良い。
【００２６】
記録媒体部３３は、取り付け及び取り外しが容易な記憶素子からなり、例えば、コンパクトフラッシュ（登録商標）、スマートメディア、ＳＤカード、メモリースティック、マルチメディアカード、ＰＣカード等がある。
【００２７】
制御部３４は、ＣＰＵ（マイクロコンピューター）等により構成され、図１に示した操作部３からの入力信号ＩＳ１によって、レンズ駆動部３０との間の制御信号ＣＳ１、ＣＣＤ駆動／タイミング発生部３１との間の制御信号ＣＳ２、デジタル信号処理部２５との間で各種画像補正に関する制御信号ＣＳ３、記録媒体Ｉ／Ｆ部３２を介してデジタル信号処理部２５との間で画像圧縮に関する制御信号ＣＳ４、記録媒体Ｉ／Ｆ部３２を介して画像記録媒体部３３との間の制御信号ＣＳ６を入出力する。
【００２８】
通信Ｉ／Ｆ（インターフェース）部３５は、周辺回路と制御部３４との間の制御信号ＣＳ７の授受を制御し、例えば、図１を用いて説明した操作部３からの入力信号ＩＳ１と同様な入力信号ＩＳ２を制御部３４に出力することにより、上記した制御部３４およびデジタル信号処理部２５等の制御による各処理が可能になる。また、通信Ｉ／Ｆ部３５は、具体的には、例えば、シリアルインターフェースであるＵＳＢ、ＩＥＥＥ１３９４やＲＳ−２３２Ｃ等である。
【００２９】
発光部４は、被写体の周囲が暗い場合に、制御部３４からの制御信号ＣＳ８により被写体を照明するために発光するものである。
デジタル信号処理部２５内の設定値表示画面生成部３６は、表示画面データ記憶部２８に格納された表示画面および設定値データ記憶部２７に格納された設定値を用いて、補正に用いる項目についての現状の設定値を含む表示画面を生成することができる。また、設定値表示画面生成部３６は、表示画面に数値化された各ＲＧＢ原色毎の画像データの平均値を含ませて表示画面を生成することができる。また、設定値表示画面生成部３６は、画像信号色分解部３８で各ＲＧＢ原色毎に変換される画像データが表示画面の一部である場合には、表示画面上における前記一部の画面の位置および範囲を示すデータを含ませて表示画面を生成する。
【００３０】
スーパーインポーズ処理部３７は、設定値表示画面生成部で生成された表示画面を、補正後データ記憶部に格納された補正後の画像データにスーパーインポーズしてモニタ表示部に出力する。また、スーパーインポーズ処理部３７は、メニュー画面を補正後の画像データにスーパーインポーズしてモニタ表示部３に出力する。
画像信号色分解部３８は、補正後データ記憶部に格納された画像データにおける表示画面の少なくとも一部を色分解し、各ＲＧＢ原色毎の画像データに変換する。
色信号数値化部３９は、画像信号色分解部で得られた各ＲＧＢ原色毎の画像データの平均値を演算して数値化する。
【００３１】
上記の構成により、本実施の形態のデジタルカメラの場合には、各種画像補正が実施された画像を確認するための画像データをモニタ画面２に出力するだけでなく、その各種画像補正の補正値の設定状態や撮影して得られた画像のＲＧＢ信号の成分を数値表示することが可能になっている。また、本実施の形態のデジタルカメラの場合には、補正前データ記憶部２６に格納されたＲＧＢ信号の画像データを読み出し、その画像データに各種の画像補正処理から選択された画像補正処理を実施した後、その画像補正済みのＹＣ信号の画像データを補正後データ記憶部２９に格納し、その補正済みで格納された画像データをモニタ表示部２あるいは周辺回路へ出力するまでの一連の信号処理は、制御部３４からデジタル信号処理部２５へ送られる制御信号ＣＳ３により、撮影動作を伴わなくても実施することが可能になっている。
【００３２】
図４は、モニタ画面に補正用の設定値（補正値）を選択するためのメニューをスーパーインポーズした画面の一例を示す図である。
図４のモニタ画面２ａは、補正後の画像データを確認するためにモニタ画面２に表示させている状態で操作部３の中のメニューボタン１１（モード変更指示入力部）が押された場合の、通常モードから画質変更モードに切り替わった表示画面である。モニタ画面２ａでは、各種画像補正用の設定値を選択するためのメニューとして、ホワイトバランス（ＷＢ）５１、色調整（ＣＯＬＯＲ）５２、シャープネス（ＳＨＡＲＰＮＥＳＳ：輪郭補正）５３、ガンマ補正（ＧＡＭＭＡ）５４の各補正項目が文字列として各行個別に表示される。このモニタ画面２ａから、変更指示入力部であるアップボタン１２、および、ダウンボタン１３により、メニュー中のホワイトバランス（ＷＢ）５１が選択されると、「ホワイトバランス（ＷＢ）」の文字列が、例えば、１秒間隔毎の点滅表示、色変更によるハイライト表示あるいは反転表示により他の文字列とは異なる表示になる。この状態で、さらに、セットボタン１４が押されると、ホワイトバランス（ＷＢ）の補正についての設定値を変更する処理を実施することが確定され、モニタ画面２にスーパーインポーズで表示される内容が次のホワイトバランス（ＷＢ）の補正の設定値を変更するために後述する図５に示すような内容に変更される。このようにして、図４のメニューのモニタ画面２ａでは、アップボタン１２およびダウンボタン１３を押すことで各補正項目の文字列を選択でき、セットボタン１４で選択内容を確定することができる。
【００３３】
なお、色調整（ＣＯＬＯＲ）５２、シャープネス（ＳＨＡＲＰＮＥＳＳ：輪郭補正）５３、および、ガンマ補正（ＧＡＭＭＡ）５４の各項目の補正については、実施の形態２以降の各実施の形態で説明する。また、図４で選択された設定値の点滅周期は上記１秒以外の時間であっても良く、また、図４では説明の便宜上から、モニタ画面２ａの表示面積全体に対する各補正項目の表示面積が大きくなるように示しているが、実際の各補正項目の画面全体に対する表示面積は文字が視読可能な範囲であれば小さくすることができる。
【００３４】
図５は、モニタ画面にホワイトバランス（ＷＢ）調整の補正のための設定値を変更するための各値をスーパーインポーズした画面の一例を示す図である。
図５は、ホワイトバランス調整の補正値を設定あるいは変更するための画面であり、文字列（ＷＢＲ…）６１は、ＲＧＢ信号中のＲ（赤）信号成分の増幅器における相対的な利得（以下ＷＢＲ値という）の項目を示しており、その右端の数値（１００）が現状の設定値であり、例えば、この数値（１００）をアップボタン１２あるいはダウンボタン１３で変更した後にセットボタン１４でセットすることで変更したＷＢＲ値の補正値を設定することができる。同様に、文字列（ＷＢＢ…）６２は、ＲＧＢ信号中のＢ（青）信号成分の増幅器における相対的な利得（以下ＷＢＢ値という）の項目を示しており、その右端の数値（１００）が現状の設定値であり、この数値（１００）を変更した後にセットボタン１４でセットすることで変更したＷＢＢ値の補正値を設定することができる。なお、この場合のＲＧＢ信号中のＧ（緑）信号の増幅器における相対的な利得は予め一定値に固定されている。なお、図示した現状の設定値の数値１００は一例であり、他の数値でも良い。
【００３５】
図５の文字列（Ｒ…）６３は、デジタルカメラ１で撮影され、予め設定された各種画像補正の設定値に従って画像補正が施された後の画像データにおけるＲＧＢ信号中のＲ（赤）成分の項目を示しており、その右端の数値（１５０）が全画面におけるＲ成分の平均値である。同様に、文字列（Ｇ…）６４は、画像補正後の画像データにおけるＲＧＢ信号中のＧ（緑）成分の項目を示しており、その右端の数値（１５０）が全画面におけるＧ成分の平均値であり、文字列（Ｂ…）６５は、画像補正後の画像データにおけるＲＧＢ信号中のＢ（青）成分の項目を示しており、その右端の数値（１５０）が全画面におけるＢ成分の平均値である。ホワイトバランスを調整する場合には、上記したＲ成分の平均値、Ｇ成分の平均値、Ｂ成分の平均値の各数値（１５０）が同じ値になった時にホワイトバランスが合っていることになる。なお、図示した現状の数値１５０は一例であり、ホワイトバランスを調整するためには各成分の平均値を他の数値で同じ値にして調整しても良い。
【００３６】
上記のように図５のホワイトバランスの設定値を変更するための画面では、図４の画面の場合と同様に、アップボタン１２、ダウンボタン１３を押すことで文字列を選択し、セットボタン１４で選択内容を決定すると共に、その文字列に補正量を表す数値が含まれるものについてはアップボタン２４、ダウンボタン２５を押すことで数値を増減させ、セットボタン１４でその数値を設定することができる。
【００３７】
次に、本実施の形態のデジタルカメラのホワイトバランス調整時の補正値の設定動作について説明する。
図６は、図１〜図５に示したデジタルカメラにおけるホワイトバランスの補正値を設定（変更）する場合の動作を示すフローチャートである。
まず、デジタルカメラ１は、例えば、使用者によりメニューボタン１１が押される等により、画質調整を実施する指示が入力されたか否かを確認する（Ｓ１）。画質調整の指示が無い場合（Ｓ１：ＮＯ）には、デジタルカメラ１は、再びステップＳ１を繰り返して画質調整の指示を待ち受け、画質調整の指示が入力された場合（Ｓ１：ＹＥＳ）には、まず、図４のようにメニューをモニタ画面２ａに表示させ、画質調整の中でもホワイトバランスの調整についての指示が入力されたか否かを確認する（Ｓ２）。ホワイトバランスの調整の指示が無い場合（Ｓ２：ＮＯ）には、デジタルカメラ１は、再びステップＳ２を繰り返してホワイトバランス（あるいは他の調整）の指示を待ち受ける。例えば、アップボタン１２あるいはダウンボタン１３によりホワイトバランスの文字列５１が選択されて点滅状態になったところで、セットボタン１４が押される等により、ホワイトバランスの調整の指示が入力された場合（Ｓ２：ＹＥＳ）には、ホワイトバランスの調整準備が完了する。この状態で、例えば、基準となる白色のテストチャートがモニタ画面２の全面に表示された状態で使用者によりシャッタ１６が押される等により、基準となる白色のテストチャートが撮影される（Ｓ３）。
【００３８】
ステップＳ３で撮影された画像データは、デジタルカメラ１の中の固体撮像素子部２２でＲＧＢ信号になり、Ａ／Ｄ変換部２４でデジタル信号になって、デジタル信号処理部２５に入力される。その後、制御部３４およびデジタル信号処理部２５により、まず、補正前の静止画の画像データ（ＲＧＢ信号）が補正前データ記憶部２６に格納され（Ｓ４）、その補正前の画像データに対して設定値データ記憶部２７に格納されている現状設定済みの初期設定値による補正が実施される（Ｓ５）。このときにＲＧＢ信号の画像データからＹＣ信号の画像データへの変換も実施される。次に、制御部３４およびデジタル信号処理部２５によって、補正後の画像データ（ＹＣ信号）の静止画が補正後データ記憶部２９に格納されると共にモニタ画面２に表示され（Ｓ６）、その補正後の画像データについてのＷＢＲ値（６１）、ＷＢＢ値（６２）の現状の各設定値が表示されると共に、Ｒ（６３）、Ｇ（６４）、および、Ｂ（６５）の各原色の信号の全画面平均値が演算されて表示される（Ｓ７）。
【００３９】
デジタルカメラ１の使用者は、モニタ画面２に表示された上記Ｒ（６３）、Ｇ（６４）、および、Ｂ（６５）の各色の全画面平均値が等しいか否かを判断し（Ｓ８）、等しい場合（Ｓ８：ＹＥＳ）には、例えば、メニューボタン１１を再度押して文字列６１〜６５を表示させないようにすることにより、ホワイトバランス調整時の補正値の設定動作を終了して補正された画像のみをモニタ画面２に表示させる。各色の全画面平均値が等しくない場合（Ｓ８：ＮＯ）には、アップボタン１２あるいはダウンボタン１３によりＷＢＲ値およびＷＢＢ値の何れか一方の文字列が選択されて点滅状態になったところで、セットボタン１４が押される等により、点滅している文字列も右側の数値（この場合はＷＢＲ値あるいはＷＢＢ値の数値）に移る。この状態で、例えば、Ｇ信号成分を表す値を基準として、Ｒ信号およびＢ信号のそれぞれの差分に応じて、アップボタン１２あるいはダウンボタン１３が押されることで各数値を増減させる。なお、アップボタン１２が押された場合には数値が増加され、ダウンボタン１３が押されると数値が減少する。このようにして、アップボタン１２あるいはダウンボタン１３で、各色の全画面平均値が等しくなるようにＷＢＲ値およびＷＢＢ値を増減して調整（変更）した後にセットボタン１４でセットし、変更したＷＢＲ値およびＷＢＢ値を設定値データ記憶部２７に格納する（Ｓ９）。
【００４０】
本実施の形態の場合、ステップＳ９では、まず、ＷＢＲ値およびＷＢＢ値を撮影に使用する照明の色温度に応じて事前におおよその数値を把握し、その数値に設定する必要がある。例えば、ＷＢＲ値をアップボタン１２とダウンボタン１３で所望の値を選択し、セットボタン１４を押すと選択したＷＢＲ値は制御部３４の制御により設定値データ記憶部２７に記憶される。次に、ダウンボタン１３を押すと文字列のＷＢＢが点滅し、セットボタン１４を押すとＷＢＢ値が点滅し、ＷＢＲ値と同様にアップボタン１２とダウンボタン１３で所望の値を選択し、セットボタン１４を押すと選択したＷＢＢ値は制御部３４の制御により設定値データ記憶部２７に記憶される。調整したＷＢＲ値およびＷＢＢ値を設定したら、使用者は、さらにプロセスボタン１５を１度押す。
【００４１】
すると、プロセスボタン１５の入力を受けた制御部３４およびデジタル信号処理部２５によって、補正前データ記憶部２６に格納されている静止画の画像データ（ＲＧＢ信号）が読み出され、設定値データ記憶部２７に格納された調整済みの設定値によりその画像データに対して補正処理が再度実施され（Ｓ１０）、再補正後の静止画の画像データ（ＹＣ信号）が補正後データ記憶部２９に、例えば上書きで格納され（Ｓ１１）、その再補正後の静止画の画像データについてのＷＢＲ値（６１）、ＷＢＢ値（６２）の現状の各設定値が更新されて表示されると共に、Ｒ（６３）、Ｇ（６４）、および、Ｂ（６５）の各原色の信号の全画面平均値が演算されて更新された各値が表示される（Ｓ１２）。以上のステップＳ９のＷＢＲ値およびＷＢＢ値の入力からステップＳ１２までの一連の信号処理が実施された後に、再びステップＳ８の各色の全画面平均値が等しいか否かの判断に戻る。
【００４２】
このステップＳ８の判断で、各色の全画面平均値が等しくなれば（Ｓ８：ＹＥＳ）、例えば、メニューボタン１１を再度押して文字列６１〜６５を表示させないようにすることにより補正された画像のみをモニタ画面２に表示させて、ホワイトバランス調整時の補正値の設定動作を終了するが、等しくない場合（Ｓ８：ＮＯ）には、再びステップＳ９〜Ｓ１２そしてステップＳ８の判断が繰り返される。
【００４３】
また、上記したステップＳ８では、デジタルカメラ１の使用者によりＲ（６３）、Ｇ（６４）、および、Ｂ（６５）の各色の全画面平均値が等しいか否かを判断するようにしたが、本実施の形態では各色の全画面平均値を数値で表示できるため、例えば、その各数値を制御部３４で判断させてホワイトバランスの各設定値を制御することにより、ステップＳ８の判断をデジタルカメラが自動的に実施できるようになる。つまり、図６のホワイトバランスのフローチャートにおけるステップＳ４以降の処理を全自動化させることが可能である。
【００４４】
また、デジタルカメラから画像データをカラープリンタ等でプリント出力する場合には、上記した撮影時に実施される画像データに対するホワイトバランス調整を行って合わせた場合でも、カラープリンタ等の出力装置の特性の影響により、必ずしも想定した色が再現できないことがある。例えば、白色テストチャートを撮影した場合は、カラープリンタ等の出力も結果として白色が印刷されるはずであるが、白色として印刷されずに微妙に色がつく場合がある。この画像データの色再現性を改善するために故意にホワイトバランスをずらすようなことをすることがある。本実施の形態のデジタルカメラ１では、このような場合のずらす補正量についても、ホワイトバランスの各設定値（６１）（６２）および各種画像補正を施された後の画像のＲＧＢ各信号成分の平均値（６３）〜（６５）が表示されることで、補正量を数値化でき、カラープリンタ出力時のホワイトバランス調整を容易にすることができる。
【００４５】
このように、本実施の形態のデジタルカメラでは、上記したように、ホワイトバランスの設定値を補正（変更）する際に補正前データ記憶部２６に格納されている静止画の画像データ（ＲＧＢ信号）を読み出し、ホワイトバランス調整で変更（補正）する設定値の入力から再補正後の静止画の画像データの記録および表示と、その画像データのホワイトバランスの補正値（設定値）の表示までの一連の信号処理を実施するので、ホワイトバランスの設定値を変更する度にテストチャートを撮影し直す必要が無くなり、設定作業を簡潔にでき、短時間で設定を終了させることができ、さらに、ＲＧＢ信号成分を数値化して表示するので、その数値データを用いてホワイトバランスの調整を自動化でき、カラープリンタ等で画像データを印刷するためにホワイトバランスの設定値をずらす必要がある場合にも、ホワイトバランスの調整を容易にすることができる。
【００４６】
実施の形態２．
次に、各種画像補正のうち、色調整の補正値を設定する場合の本発明のデジタルカメラについて説明する。
図７は、本発明の実施の形態２のデジタルカメラのモニタ画面に色調整の補正のための設定値を変更するための各値をスーパーインポーズした画面の一例を示す図である。なお、本実施の形態のデジタルカメラについての下記以外の構成は、実施の形態１と同様である。
【００４７】
図７は、色調整のために色差信号のゲイン調整値を設定あるいは変更するための画面であり、文字列（Ｒ−Ｙ…）７１は、Ｒ−Ｙ色差信号のゲイン（乗数）（以下、Ｒ−Ｙ値という）の項目を示しており、その右端の数値（１００）が現状の設定値であり、例えば、この数値（１００）をアップボタン１２あるいはダウンボタン１３で変更した後にセットボタン１４でセットすることで変更したＲ−Ｙ値の補正値を設定することができる。同様に、文字列（Ｂ−Ｙ…）７２は、Ｂ−Ｙ色差信号のゲイン（乗数）（以下、Ｂ−Ｙ値という）の項目を示しており、その右端の数値（１００）が現状の設定値であり、この数値（１００）を変更した後にセットボタン１４でセットすることで変更したＢ−Ｙ値の補正値を設定することができる。なお、図示した現状の設定値の数値１００は一例であり、他の数値でも良い。
【００４８】
この文字列（Ｒ−Ｙ…）７１のＲ−Ｙ値および文字列（Ｂ−Ｙ…）７２のＢ−Ｙ値は、色差信号Ｒ−Ｙ、Ｂ−Ｙに対して、それぞれの信号に対する乗数を相対的に表した値である。色差信号Ｒ−Ｙ、Ｂ−Ｙは、図１のデジタル信号処理部２５の内部で、ＲＧＢ信号が輝度信号（Ｙ）と色差信号に変調された副搬送波成分（Ｃ）に分離されるＹＣ信号に変換される際に用いられる値であり、ＲＧＢ信号を基にしてマトリックス演算により得られるＣ信号を構成する値である。この値をそれぞれ、Ｒ−Ｙ色差信号についてはＲ−Ｙゲイン値と呼び、Ｂ−Ｙ色差信号についてはＢ−Ｙゲイン値と呼ぶ。このＲ−Ｙゲイン値およびＢ−Ｙゲイン値を変更することによりモニタ画面１に表示される画像の色の濃さや色相を変化させることができる。図７の文字列７１の右側に表示されている値がＲ−Ｙゲイン値であり、文字列７２の右側に表示されている値がＢ−Ｙゲイン値である。
【００４９】
図７のＲＧＢ信号抽出領域７３は、色調整の補正値を設定する場合のモニタ画面２の全領域に対するＲＧＢ信号を抽出する領域を示しており、例えば、画面全体を縦横４×４の１６のブロックに分割した場合、各ブロックをアップボタン１２あるいはダウンボタン１３で第１番目から第１６番目の各抽出領域を１ブロックずつ順に循環する（１６番目の次は１番目に移動する）ように移動させ、最も適切なブロックに移動した後にセットボタン１４で抽出領域を決定する。例えば、アップボタン２４が押された場合には領域の番号が増える方向に領域の指定が移動し、ダウンボタン２５が押された場合には領域の番号が減る方向に領域の指定が移動するようにする。なお、上記説明では、画面全体を縦横４×４の１６のブロックに分割したが、この分割数は縦横いずれも任意の数値とすることができ、また、縦横で分割数を異ならせても良い。
【００５０】
図７の文字列（Ｒ…）７４は、図５の文字列６３と同様な補正後の画像データにおけるＲＧＢ信号中のＲ（赤）成分の項目であるがＲＧＢ信号抽出領域７３についての項目を示しており、その右端の数値（１５０）が画面のＲＧＢ信号抽出領域７３におけるＲ成分の平均値である。同様に、文字列（Ｇ…）７５は、画像補正後の画像データにおけるＲＧＢ信号中のＧ（緑）成分の項目を示しており、その右端の数値（１５０）が画面のＲＧＢ信号抽出領域７３におけるＧ成分の平均値であり、文字列（Ｂ…）７６は、画像補正後の画像データにおけるＲＧＢ信号中のＢ（青）成分の項目を示しており、その右端の数値（１５０）が画面のＲＧＢ信号抽出領域７３におけるＲ成分の平均値である。色を調整する場合には、各色毎に上記したＲ成分の平均値、Ｇ成分の平均値、Ｂ成分の平均値の各数値を調整する必要がある。なお、図示した現状のＲ成分の抽出画面平均値の数値１５０、Ｇ成分の抽出画面平均値の数値２０、Ｂ成分の抽出画面平均値の数値２０は一例であり、色を調整するためには各々の色毎に各成分の平均値を他の数値にして調整しても良い。
【００５１】
上記のように図７の色調整の設定値を変更するための画面では、図４の画面の場合と同様に、アップボタン１２、ダウンボタン１３を押すことで文字列を選択し、セットボタン１４で選択内容を決定すると共に、その文字列に補正量を表す数値が含まれるものについてはアップボタン２４、ダウンボタン２５を押すことで数値を増減させ、セットボタン１４でその数値を設定することができる。
【００５２】
次に、本実施の形態のデジタルカメラの色補正値の設定動作について説明する。
図８は、本実施の形態のデジタルカメラにおける色補正値を設定（変更）する場合の動作を示すフローチャートである。
【００５３】
まず、デジタルカメラ１は、例えば、使用者によりメニューボタン１１が押される等により、画質調整を実施する指示が入力されたか否かを確認する（Ｓ２１）。画質調整の指示が無い場合（Ｓ２１：ＮＯ）には、デジタルカメラ１は、再びステップＳ２１を繰り返して画質調整の指示を待ち受け、画質調整の指示が入力された場合（Ｓ２１：ＹＥＳ）には、まず、図４のようにメニューをモニタ画面２ａに表示させ、画質調整の中でも色調整（色信号の調整）についての指示が入力されたか否かを確認する（Ｓ２２）。色調整の指示が無い場合（Ｓ２２：ＮＯ）には、デジタルカメラ１は、再びステップＳ２２を繰り返して色調整（あるいは他の調整）の指示を待ち受ける。例えば、アップボタン１２あるいはダウンボタン１３により色調整の文字列５２が選択されて点滅状態になったところで、セットボタン１４が押される等により、色調整の指示が入力された場合（Ｓ２２：ＹＥＳ）には、色調整の準備が完了する。この状態で、例えば、基準となるカラーテストチャートがモニタ画面２の全面に表示された状態で使用者によりシャッタ１６が押される等により、基準となるカラーテストチャートが撮影される（Ｓ２３）。
【００５４】
ステップＳ２３で撮影された画像データは、デジタルカメラ１の中の固体撮像素子部２２でＲＧＢ信号になり、Ａ／Ｄ変換部２４でデジタル信号になって、デジタル信号処理部２５に入力される。その後、制御部３４およびデジタル信号処理部２５により、まず、補正前の静止画の画像データ（ＲＧＢ信号）が補正前データ記憶部２６に格納され（Ｓ２４）、その補正前の画像データに対して設定値データ記憶部２７に格納されている現状設定済みの初期設定値による補正が実施される（Ｓ２５）。このときにＲＧＢ信号の画像データからＹＣ信号の画像データへの変換も実施される。次に、制御部３４およびデジタル信号処理部２５によって、補正後の画像データ（ＹＣ信号）の静止画が補正後データ記憶部２９に格納されると共にモニタ画面２に表示され（Ｓ２６）、その表示を確認した使用者によりカラーテストチャート中の単一色のみが含まれるようにＲＧＢ信号を抽出する領域（抽出領域）が設定される（Ｓ２７）。そして、その補正後の画像データについてのＲ−Ｙ値（７１）、Ｂ−Ｙ値（７２）の現状の各設定値が表示されると共に、設定された抽出領域について、Ｒ（７４）、Ｇ（７５）、および、Ｂ（７６）の各原色の信号の抽出領域における平均値が演算されて表示される（Ｓ２８）。
【００５５】
デジタルカメラ１の使用者は、モニタ画面２に表示された上記Ｒ（７４）、Ｇ（７５）、および、Ｂ（７６）の各色の抽出領域における平均値がカラーテストチャートの色から判断して適正であるか否かを判断し（Ｓ２９）、適正である場合（Ｓ２９：ＹＥＳ）には、例えば、メニューボタン１１を再度押して文字列７１、７２、７４〜７６を表示させないようにすることにより、色調整時の補正値の設定動作を終了して補正された画像のみをモニタ画面２に表示させる。抽出領域における各色の平均値が適切でない場合（Ｓ２９：ＮＯ）には、アップボタン１２あるいはダウンボタン１３によりＲ−Ｙ値およびＢ−Ｙ値の何れか一方の文字列が選択されて点滅状態になったところで、セットボタン１４が押される等により、点滅している文字列も右側の数値（この場合はＲ−Ｙ値あるいはＢ−Ｙ値の数値）に移る。この状態で、例えば、Ｒ−Ｙ値あるいはＢ−Ｙ値と抽出領域の色の適正値とのそれぞれの差分に応じて、アップボタン１２あるいはダウンボタン１３が押されることで各数値を増減させる。なお、アップボタン１２が押された場合には数値が増加され、ダウンボタン１３が押されると数値が減少する。このようにして、アップボタン１２あるいはダウンボタン１３で、色調整時の抽出領域の各色の平均値が適切になるようにＲ−Ｙ値およびＢ−Ｙ値を増減して調整（変更）した後にセットボタン１４でセットし、変更したＲ−Ｙ値およびＢ−Ｙ値を設定値データ記憶部２７に格納する（Ｓ３０）。
【００５６】
本実施の形態の場合、ステップＳ３０では、まず、Ｒ−Ｙ値およびＢ−Ｙ値を撮影に使用する照明の色温度に応じて事前におおよその数値を把握し、その数値に設定する必要がある。例えば、Ｒ−Ｙ値をアップボタン１２とダウンボタン１３で所望の値を選択し、セットボタン１４を押すと選択したＲ−Ｙ値は制御部３４の制御により設定値データ記憶部２７に記憶される。次に、ダウンボタン１３を押すと文字列のＢ−Ｙが点滅し、セットボタン１４を押すとＢ−Ｙが点滅し、Ｒ−Ｙ値と同様にアップボタン１２とダウンボタン１３で所望の値を選択し、セットボタン１４を押すと選択したＢ−Ｙ値は制御部３４の制御により設定値データ記憶部２７に記憶される。調整したＲ−Ｙ値およびＢ−Ｙ値を設定したら、使用者は、さらにプロセスボタン１５を１度押す。
【００５７】
すると、プロセスボタン１５の入力を受けた制御部３４およびデジタル信号処理部２５によって、補正前データ記憶部２６に格納されている静止画の画像データ（ＲＧＢ信号）が読み出され、設定値データ記憶部２７に格納された調整済みの設定値によりその画像データに対して補正処理が再度実施され（Ｓ３１）、再補正後の静止画の画像データ（ＹＣ信号）が補正後データ記憶部２９に、例えば上書きで格納され（Ｓ３２）、その再補正後の静止画の画像データについてのＲ−Ｙ値（７１）、Ｂ−Ｙ値（７２）の現状の各設定値が更新されて表示されると共に、Ｒ（７４）、Ｇ（７５）、および、Ｂ（７６）の各原色の信号の抽出領域平均値が演算されて更新された各値が表示される（Ｓ３３）。以上のステップＳ３０のＲ−Ｙ値およびＢ−Ｙ値の入力からステップＳ３３までの一連の信号処理が実施された後に、再びステップＳ２９の抽出領域における各色の平均値が適切であるか否かの判断に戻る。
【００５８】
このステップＳ２９の判断で、抽出領域における各色の平均値が適切になれば（Ｓ２９：ＹＥＳ）、例えば、メニューボタン１１を再度押して文字列７１、７２、７４〜７６を表示させないようにすることにより補正された画像のみをモニタ画面２に表示させて、色調整時の補正値の設定動作を終了するが、等しくない場合（Ｓ２９：ＮＯ）には、再びステップＳ３０〜Ｓ３３そしてステップＳ２９の判断が繰り返される。
【００５９】
また、上記したステップＳ２９では、デジタルカメラ１の使用者によりＲ（７４）、Ｇ（７５）、および、Ｂ（７６）の各色の抽出領域における各平均値が適切であるか否かを判断するようにしたが、本実施の形態では各色の全画面平均値を数値で表示できるため、例えばその各数値を制御部３４で判断させて色調整の各設定値を制御することにより、ステップＳ２９の判断をデジタルカメラが自動的に実施できるようにできる。つまり、図８の色信号調整のフローチャートにおけるステップＳ２４以降の処理を、抽出領域を設定するステップＳ２７を除いてほぼ自動化させることが可能である。また、さらに、例えばモニタ画面２に表示されたカラーテストチャートから単独色の領域を検出して指定する機能を付与することにより、全自動化することも可能である。また、本実施の形態のデジタルカメラ１では、プリンタに出力する場合等で実施の形態１に説明したように色調整の補正量を意図的にずらす場合についても、色調整の各設定値（７１）（７２）および各種画像補正を施された後の画像のＲＧＢ各信号成分の平均値（７４）〜（７６）が表示されることで、補正量を数値化でき、カラープリンタ出力時の色調整を容易にすることができる。
【００６０】
このように、本実施の形態のデジタルカメラでは、上記したように、色調整の設定値を補正（変更）する際に補正前データ記憶部２６に格納されている静止画の画像データ（ＲＧＢ信号）を読み出し、色調整で変更（補正）する設定値の入力から再補正後の静止画の画像データの記録および表示と、その画像データの色補正値の表示までの一連の信号処理を実施するので、色調整の設定値を変更する度にテストチャートを撮影し直す必要が無くなり、設定作業を簡潔にでき、短時間で設定を終了させることができ、さらに、ＲＧＢ信号成分を数値化して表示するので、その数値データを用いて色調整の自動化を拡大でき、カラープリンタ等で画像データを印刷するための色調整の設定値をずらす必要がある場合にも、その色調整を容易にすることができる。
【００６１】
実施の形態３．
次に、各種画像補正のうち、輪郭補正の補正値を設定する場合の本発明のデジタルカメラについて説明する。
図９は、本発明の実施の形態３のデジタルカメラのモニタ画面に輪郭補正のための設定値を変更するための各値をスーパーインポーズした画面の一例を示す図である。なお、本実施の形態のデジタルカメラについての下記以外の構成は、実施の形態１と同様である。
【００６２】
図９は、輪郭補正（シャープネス）値を設定あるいは変更するための画面であり、文字列（ＥＬＶＬ…）８１は、画像の輪郭を補正するために輪郭を強調処理する数値の設定値（以下、ＥＬＶＬ値という）の項目を示しており、その右端の数値（１００）が現状の設定値であり、例えば、この数値（１００）をアップボタン１２あるいはダウンボタン１３で変更した後にセットボタン１４でセットすることで変更したＥＬＶＬ値の補正値を設定することができる。ＥＬＶＬ値は、数値が大きいほど、輪郭に対する強調が強くなる数値である。なお、図示した現状の設定値の数値１００は一例であり、他の数値でも良い。上記のように図９の輪郭補正の設定値を変更するための画面でも、文字列に含まれる補正量を表す数値をアップボタン２４、ダウンボタン２５を押すことで数値を増減させ、セットボタン１４でその数値を設定することができる。
【００６３】
次に、本実施の形態のデジタルカメラの輪郭補正時の補正値の設定動作について説明する。
図１０は、本実施の形態のデジタルカメラにおける輪郭補正値を設定（変更）する場合の動作を示すフローチャートである。
まず、デジタルカメラ１は、例えば、使用者によりメニューボタン１１が押される等により、画質調整を実施する指示が入力されたか否かを確認する（Ｓ４１）。画質調整の指示が無い場合（Ｓ４１：ＮＯ）には、デジタルカメラ１は、再びステップＳ４１を繰り返して画質調整の指示を待ち受け、画質調整の指示が入力された場合（Ｓ４１：ＹＥＳ）には、まず、図４のようにメニューをモニタ画面２ａに表示させ、画質調整の中でもシャープネス（輪郭補正）の調整についての指示が入力されたか否かを確認する（Ｓ４２）。輪郭補正の調整の指示が無い場合（Ｓ４２：ＮＯ）には、デジタルカメラ１は、再びステップＳ４２を繰り返して輪郭調整（あるいは他の調整）の指示を待ち受ける。例えば、アップボタン１２あるいはダウンボタン１３によりシャープネス（輪郭補正）の文字列５３が選択されて点滅状態になったところで、セットボタン１４が押される等により、輪郭補正の調整の指示が入力された場合（Ｓ４２：ＹＥＳ）には、輪郭補正の調整準備が完了する。この状態で、例えば、基準となるテストチャートがモニタ画面２の全面に表示された状態で使用者によりシャッタ１６が押される等により、基準となるテストチャートが撮影される（Ｓ４３）。
【００６４】
ステップＳ４３で撮影された画像データは、デジタルカメラ１の中の固体撮像素子部２２でＲＧＢ信号になり、Ａ／Ｄ変換部２４でデジタル信号になって、デジタル信号処理部２５に入力される。その後、制御部３４およびデジタル信号処理部２５により、まず、補正前の静止画の画像データ（ＲＧＢ信号）が補正前データ記憶部２６に格納され（Ｓ４４）、その補正前の画像データに対して設定値データ記憶部２７に格納されている現状設定済みの初期設定値による補正が実施される（Ｓ４５）。このときにＲＧＢ信号の画像データからＹＣ信号の画像データへの変換も実施される。次に、制御部３４およびデジタル信号処理部２５によって、補正後の画像データ（ＹＣ信号）の静止画が補正後データ記憶部２９に格納される（Ｓ４６）と共にモニタ画面２に表示され、その補正後の画像データについてのＥＬＶＬ値（８１）の現状の各設定値が表示される（Ｓ４７）。
【００６５】
デジタルカメラ１の使用者は、モニタ画面２に表示された上記補正後の画像データの静止画のシャープネス（輪郭補正値）が適正であるか否かを判断し（Ｓ４８）、適正である場合（Ｓ４８：ＹＥＳ）には、例えば、メニューボタン１１を再度押して文字列８１を表示させないようにすることにより、輪郭補正値の設定動作を終了して補正された画像のみをモニタ画面２に表示させる。輪郭補正値が適切でない場合（Ｓ４８：ＮＯ）には、例えば、セットボタン１４が押される等により、ＥＬＶＬの文字列８１の右側の数値（この場合はＥＬＶＬ値）を点滅させるようにする。この状態で、例えば、アップボタン１２あるいはダウンボタン１３が押されることでＥＬＶＬ値を増減させる。なお、アップボタン１２が押された場合には数値が増加され、ダウンボタン１３が押されると数値が減少する。このようにして、アップボタン１２あるいはダウンボタン１３で、ＥＬＶＬ値が適切になるように増減して調整（変更）した後にセットボタン１４でセットし、変更したＥＬＶＬ値を設定値データ記憶部２７に格納する（Ｓ４９）。
【００６６】
本実施の形態の場合、ステップＳ４９では、まず、ＥＬＶＬ値を撮影に使用する照明の色温度に応じて事前におおよその数値を把握し、その数値に設定する必要がある。例えば、ＥＬＶＬ値をアップボタン１２とダウンボタン１３で所望の値を選択し、セットボタン１４を押すと選択したＥＬＶＬ値は制御部３４の制御により設定値データ記憶部２７に記憶される。調整したＥＬＶＬ値を設定したら、使用者は、さらにプロセスボタン１５を１度押す。
【００６７】
すると、プロセスボタン１５の入力を受けた制御部３４およびデジタル信号処理部２５によって、補正前データ記憶部２６に格納されている静止画の画像データ（ＲＧＢ信号）が読み出され、設定値データ記憶部２７に格納された調整済みの設定値によりその画像データに対して補正処理が再度実施され（Ｓ５０）、再補正後の静止画の画像データ（ＹＣ信号）が補正後データ記憶部２９に、例えば上書きで格納され（Ｓ５１）、その再補正後の静止画の画像データ、及びその画像についてのＥＬＶＬ値（８１）の現状の各設定値が更新されて表示される（Ｓ５２）。以上のステップＳ４９のＥＬＶＬ値の入力からステップＳ５２の画像データとえＬＶＬ値の表示までの一連の信号処理が実施された後に、再びステップＳ４８の輪郭補正値（ＥＬＶＬ値）が適正か否かの判断に戻る。
【００６８】
このステップＳ４８の判断で、輪郭補正値が適切になれば（Ｓ４８：ＹＥＳ）、例えば、メニューボタン１１を再度押して文字列８１を表示させないようにすることにより補正された画像のみをモニタ画面２に表示させて、輪郭補正値の設定動作を終了するが、輪郭補正値が適切でない場合（Ｓ４８：ＮＯ）には、再びステップＳ４９〜Ｓ５２そしてステップＳ４８の判断が繰り返される。
【００６９】
このように、本実施の形態のデジタルカメラでは、上記したように、輪郭補正値（ＥＬＶＬ値）を補正（変更）する際に補正前データ記憶部２６に格納されている静止画の画像データ（ＲＧＢ信号）を読み出し、ＥＬＶＬ値の入力から再補正後の静止画の画像データの記録および表示と、その画像データのＥＬＶＬ値の表示までの一連の信号処理を実施するので、輪郭補正の設定値を変更する度にテストチャートを撮影し直す必要が無くなり、設定作業を簡潔にでき、短時間で設定を終了させることができる。
【００７０】
実施の形態４．
次に、各種画像補正のうち、ガンマ補正の補正値を設定する場合の本発明のデジタルカメラについて説明する。
図１１は、本発明の実施の形態４のデジタルカメラのモニタ画面にガンマ補正のための設定値を変更するための各値をスーパーインポーズした画面の一例を示す図である。なお、本実施の形態のデジタルカメラについての下記以外の構成は、実施の形態１と同様である。
【００７１】
図１１は、ガンマ補正値を設定あるいは変更するための画面であり、文字列（ＧＭ…）９１は、画像データを表示出力する際の輝度に対する入力の駆動電圧が非線形の電光変換特性（ガンマ特性）を有することから、それを補正するためのガンマ補正値の設定値（以下、ＧＭ値という）の項目を示しており、その右端の数値（０．６）が現状の設定値であり、例えば、この数値（０．６）をアップボタン１２あるいはダウンボタン１３で変更した後にセットボタン１４でセットすることで変更したＧＭ値を設定することができる。ＧＭ値は、補正のためのガンマカーブから決定できる。また、本実施の形態のガンマ補正は、図２の補正前データ記億区部２６に格納されているＲＧＢ信号をデジタル信号処理部２５でＹＣ信号に変換する信号処理の際に施される。数値が大きいほど、ガンマ補正が強くなる数値である。なお、図示した現状の設定値の数値０．６は一例であり、他の数値でも良く、例えば、０．４５、０．５、０．５５、０．６、０．６５の種類があり、この中から選択しても良い。また、このガンマ値は上記５種類に限らず、より細かい値にしてより多くの設定値を設けたり、あるいは、より粗く少ない設定値にしても良い。上記のように図１１のガンマ補正値を変更するための画面でも、文字列に含まれる補正量を表す数値をアップボタン２４、ダウンボタン２５を押すことで数値を増減させ、セットボタン１４でその数値を設定することができる。
【００７２】
次に、本実施の形態のデジタルカメラのガンマ補正時の補正値の設定動作について説明する。
図１２は、本実施の形態のデジタルカメラにおけるガンマ補正値を設定（変更）する場合の動作を示すフローチャートである。
まず、デジタルカメラ１は、例えば、使用者によりメニューボタン１１が押される等により、画質調整を実施する指示が入力されたか否かを確認する（Ｓ６１）。画質調整の指示が無い場合（Ｓ６１：ＮＯ）には、デジタルカメラ１は、再びステップＳ６１を繰り返して画質調整の指示を待ち受け、画質調整の指示が入力された場合（Ｓ６１：ＹＥＳ）には、まず、図４のようにメニューをモニタ画面２ａに表示させ、画質調整の中でもガンマ補正の調整についての指示が入力されたか否かを確認する（Ｓ６２）。ガンマ補正の調整の指示が無い場合（Ｓ６２：ＮＯ）には、デジタルカメラ１は、再びステップＳ６２を繰り返してガンマ補正値の調整（あるいは他の調整）の指示を待ち受ける。例えば、アップボタン１２あるいはダウンボタン１３によりガンマ補正の文字列５４が選択されて点滅状態になったところで、セットボタン１４が押される等により、ガンマ補正の調整の指示が入力された場合（Ｓ６２：ＹＥＳ）には、ガンマ補正の調整準備が完了する。この状態で、例えば、基準となるテストチャートがモニタ画面２の全面に表示された状態で使用者によりシャッタ１６が押される等により、基準となるテストチャートが撮影される（Ｓ６３）。
【００７３】
ステップＳ６３で撮影された画像データは、デジタルカメラ１の中の固体撮像素子部２２でＲＧＢ信号になり、Ａ／Ｄ変換部２４でデジタル信号になって、デジタル信号処理部２５に入力される。その後、制御部３４およびデジタル信号処理部２５により、まず、補正前の静止画の画像データ（ＲＧＢ信号）が補正前データ記憶部２６に格納され（Ｓ６４）、その補正前の画像データに対して設定値データ記憶部２７に格納されている現状設定済みの初期設定値による補正が実施される（Ｓ６５）。このときにＲＧＢ信号の画像データからＹＣ信号の画像データへの変換も実施される。次に、制御部３４およびデジタル信号処理部２５によって、補正後の画像データ（ＹＣ信号）の静止画が補正後データ記憶部２９に格納される（Ｓ６６）と共にモニタ画面２に表示され、その補正後の画像データについてのＧＭ値（９１）の現状の各設定値が表示される（Ｓ６７）。
【００７４】
デジタルカメラ１の使用者は、モニタ画面２に表示された上記補正後の画像データの静止画のガンマ補正値が適正であるか否かを判断し（Ｓ６８）、適正である場合（Ｓ６８：ＹＥＳ）には、例えば、メニューボタン１１を再度押して文字列９１を表示させないようにすることにより、ガンマ補正値の設定動作を終了して補正された画像のみをモニタ画面２に表示させる。ガンマ補正値が適切でない場合（Ｓ６８：ＮＯ）には、例えば、セットボタン１４が押される等により、ＧＭの文字列９１の右側の数値（この場合はＧＭ値）を点滅させるようにする。この状態で、例えば、アップボタン１２あるいはダウンボタン１３が押されることでＧＭ値を増減させる。なお、アップボタン１２が押された場合には数値が増加され、ダウンボタン１３が押されると数値が減少する。このようにして、アップボタン１２あるいはダウンボタン１３で、ＧＭ値が適切になるように増減して調整（変更）した後にセットボタン１４でセットし、変更したＧＭ値を設定値データ記憶部２７に格納する（Ｓ６９）。
【００７５】
本実施の形態の場合、ステップＳ６９では、まず、ＧＭ値を撮影に使用する照明の色温度に応じて事前におおよその数値を把握し、その数値に設定する必要がある。例えば、ＧＭ値をアップボタン１２とダウンボタン１３で所望の値を選択し、セットボタン１４を押すと選択したＧＭ値は制御部３４の制御により設定値データ記憶部２７に記憶される。調整したＧＭ値を設定したら、使用者は、さらにプロセスボタン１５を１度押す。
【００７６】
すると、プロセスボタン１５の入力を受けた制御部３４およびデジタル信号処理部２５によって、補正前データ記憶部２６に格納されている静止画の画像データ（ＲＧＢ信号）が読み出され、設定値データ記憶部２７に格納された調整済みの設定値によりその画像データに対して補正処理が再度実施され（Ｓ７０）、再補正後の静止画の画像データ（ＹＣ信号）が補正後データ記憶部２９に、例えば上書きで格納され（Ｓ７１）、その再補正後の静止画の画像データ、及びその画像についてのＧＭ値（９１）の現状の各設定値が更新されて表示される（Ｓ７２）。以上のステップＳ６９のＧＭ値の入力からステップＳ７２の画像データとＧＭ値の表示までの一連の信号処理が実施された後に、再びステップＳ６８のＧＭ値が適正か否かの判断に戻る。
【００７７】
このステップＳ６８の判断で、ＧＭ値が適切になれば（Ｓ６８：ＹＥＳ）、例えば、メニューボタン１１を再度押して文字列９１を表示させないようにすることにより補正された画像のみをモニタ画面２に表示させて、ガンマ補正値の設定動作を終了するが、ガンマ補正値が適切でない場合（Ｓ６８：ＮＯ）には、再びステップＳ６９〜Ｓ７２そしてステップＳ６８の判断が繰り返される。
【００７８】
このように、本実施の形態のデジタルカメラでは、上記したように、ガンマ補正値（ＧＭ値）を補正（変更）する際に補正前データ記憶部２６に格納されている静止画の画像データ（ＲＧＢ信号）を読み出し、ＧＭ値の入力から再補正後の静止画の画像データの記録および表示と、その画像データのＧＭ値の表示までの一連の信号処理を実施するので、ガンマ補正の設定値を変更する度にテストチャートを撮影し直す必要が無くなり、設定作業を簡潔にでき、短時間で設定を終了させることができる。
【００７９】
なお、図４に示したメニュー画面の各種画像補正項目の表示する順番は、図４に示す順番に限られるものではなく、任意の順番に並んでいても良い。また、上記各実施の形態では、操作部３が全てボタン形式の場合を示したが、例えば、ダイヤル形式等の他の入力形式の操作部であっても良く、操作部３あるいはモニタ画面２の配置も、デジタルカメラ１中の他の場所に配置されていても良い。
【００８０】
また、上記した各実施の形態ではデジタルカメラに本発明を適用した場合について示したが、本発明は、例えば、撮像手段、画像表示手段、画像補正手段および画像格納手段を有し、撮影された画像データが補正されて格納されるまでが一連の処理になっていた従来の他の装置に対しても適用することができる。
【００８１】
【発明の効果】
本発明のデジタルカメラは、以上説明したように、画像データを補正するための各種設定値を補正（変更）する際に補正前データ記憶部に格納されている静止画の画像データ（ＲＧＢ信号）を読み出し、画像データの調整で変更（補正）する設定値の入力から再補正後の静止画の画像データの記録および表示と、その画像データの補正値（設定値）の表示までの一連の信号処理を実施するので、画像データを補正するための設定値を変更する度にテストチャートを撮影し直す必要が無くなり、設定作業を簡潔にでき、短時間で設定を終了させることができ、さらに、ＲＧＢ信号成分を数値化して表示するので、その数値データを用いて画像データの補正のための設定値の調整を自動化でき、カラープリンタ等で画像データを印刷するために画像データの補正のための設定値をずらす必要がある場合にも、その画像データの補正のための設定値の調整を容易にすることができる。
【図面の簡単な説明】
【図１】本発明に係るデジタルカメラのモニタ画面および操作部の一例を示す図である。
【図２】図１のデジタルカメラの内部構成を示すブロック図である。
【図３】（ａ）、（ｂ）は補正前データ記憶部の内部の画像データ記憶領域の配置の一例を示す図である。
【図４】モニタ画面に補正用の設定値（補正値）を選択するためのメニューをスーパーインポーズした画面の一例を示す図である。
【図５】モニタ画面にホワイトバランス（ＷＢ）調整の補正のための設定値を変更するための各値をスーパーインポーズした画面の一例を示す図である。
【図６】図１〜図５に示したデジタルカメラにおけるホワイトバランスの補正値を設定（変更）する場合の動作を示すフローチャートである。
【図７】本発明の実施の形態２のデジタルカメラのモニタ画面に色調整の補正のための設定値を変更するための各値をスーパーインポーズした画面の一例を示す図である。
【図８】実施の形態２のデジタルカメラにおける色補正値を設定（変更）する場合の動作を示すフローチャートである。
【図９】本発明の実施の形態３のデジタルカメラのモニタ画面に輪郭補正のための設定値を変更するための各値をスーパーインポーズした画面の一例を示す図である。
【図１０】実施の形態３のデジタルカメラにおける輪郭補正値を設定（変更）する場合の動作を示すフローチャートである。
【図１１】本発明の実施の形態４のデジタルカメラのモニタ画面にガンマ補正のための設定値を変更するための各値をスーパーインポーズした画面の一例を示す図である。
【図１２】実施の形態４のデジタルカメラにおけるガンマ補正値を設定（変更）する場合の動作を示すフローチャートである。
【符号の説明】
１  デジタルカメラ、  ２、２ａ〜２ｅ  モニタ画面、  ３  操作部、  ４  発光部、  １１  メニューボタン、  １２  アップボタン、  １３  ダウンボタン、  １４  セットボタン、  １５  プロセスボタン、  １６  シャッター、  ２１  光学レンズ部、  ２２  固体撮像素子部（ＣＣＤ）、  ２３  相関二重サンプリング回路部（ＣＤＳ）、  ２４  アナログ／デジタル（Ａ／Ｄ）変換部、２５  デジタル信号処理部、  ２６  補正前データ記憶部、  ２７  設定値データ記憶部、  ２８  表示画面データ記憶部、  ２９  補正後データ記憶部、  ３０  レンズ駆動部、  ３１  ＣＣＤ駆動／タイミング信号発生（ＴＧ）部、  ３２  記録媒体インターフェース（Ｉ／Ｆ）部、  ３３  記録媒体部、  ３４  制御部、  ３５  通信インターフェース（Ｉ／Ｆ）部、  ４１  動画用ＲＧＢ信号記憶領域、  ４２  静止画用ＲＧＢ信号記憶領域、  ４３  静止画用補正済みＹＣ信号記憶領域、  ５１  ホワイトバランス（ＷＢ）文字列、  ５２  色調整（ＣＯＬＯＲ）文字列、  ５３  シャープネス（ＳＨＡＲＰＮＥＳＳ：輪郭補正）文字列、  ５４  ガンマ補正（ＧＡＭＭＡ）文字列、  ６１  ＷＢＲ（Ｒ信号の増幅利得値）文字列、  ６２  ＷＢＢ（Ｂ信号の増幅利得値）文字列、  ６３Ｒ信号成分全画面平均値の文字列、  ６４  Ｇ信号成分全画面平均値の文字列、  ６５  Ｂ信号成分全画面平均値の文字列、  ７１  Ｒ−Ｙ色差信号ゲインの文字列、  ７２  Ｂ−Ｙ色差信号ゲインの文字列、  ７３  ＲＧＢ信号抽出領域、  ７４  Ｒ信号成分抽出画面平均値の文字列、  ７５  Ｇ信号成分抽出画面平均値の文字列、  ７６  Ｂ信号成分抽出画面平均値の文字列、  ８１  ＥＬＶＬ値（輪郭補正設定値）の文字列、  ９１  ＧＭ値（ガンマ補正値）の文字列。
【図１】
2004328098.tif 000003
【図２】
2004328098.tif 000004
【図３】
2004328098.tif 000005
【図４】
2004328098.tif 000006
【図５】
2004328098.tif 000007
【図６】
2004328098.tif 000008
【図７】
2004328098.tif 000009
【図８】
2004328098.tif 000010
【図９】
2004328098.tif 000011
【図１０】
2004328098.tif 000012
【図１１】
2004328098.tif 000013
【図１２】
2004328098.tif 000014